(57)【要約】【課題】設計の自由度を確保しつつ回動部分の強度を確保することができる回動部材締結部品、カード、カード収納装置及び回動部材締結方法を提供すること。【解決手段】第１穴部及び第１面取り部を有する回動部材と、第２穴部及び第２面取り部を有する被回動部材と、回動部材と被回動部材との間に配された座金と、第１穴部、及び、座金の穴、並びに、第２穴部を挿通するピン部を有し、第１穴部内の第１面取り部によって形成された空間に収容される皿形部を有し、かつ、第２穴部内の第２面取り部によって形成された空間に収容されるかしめ部を有するかしめ部材と、を備え、かしめ部材は、回動部材の一方の側の面から突出せず、かつ、被回動部材の前記他方の側の面から突出せず、かしめ部材は、中空部を有さない。【選択図】図１
2016180422.tif 000002
【特許請求の範囲】
【請求項１】
貫通した第１穴部を有するとともに前記第１穴部における一方の角部が面取りされた第１面取り部を有する回動部材と、
貫通した第２穴部を有するとともに前記第２穴部における前記一方とは反対側の他方の角部が面取りされた第２面取り部を有する被回動部材と、
前記回動部材と前記被回動部材との間に配された環状の座金と、
前記第１穴部、及び、前記座金の穴、並びに、前記第２穴部を挿通するピン部を有するとともに、前記ピン部の一端において前記第１穴部内の前記第１面取り部によって形成された空間に収容される皿形部を有し、かつ、前記ピン部の他端において前記第２穴部内の前記第２面取り部によって形成された空間に収容されるかしめ部を有するかしめ部材と、
を備え、
前記かしめ部材は、前記回動部材の前記一方の側の面から突出せず、かつ、前記被回動部材の前記他方の側の面から突出せず、
前記かしめ部材は、中空部を有さない、又は、前記ピン部の外周面から前記皿形部及び前記かしめ部の径方向に突出した部分の長さよりも短い半径の中空部を有する、若しくは、充填物が埋め込まれた中空部を有する回動部材締結部品。
【請求項２】
前記回動部品は、レバーであり、
前記被回動部品は、板金である、
請求項１記載の回動部材締結部品。
【請求項３】
前記座金は、平座金及び皿ばね座金並びに波型座金のいずれか１つである、
請求項１又は２記載の回動部材締結部品。
【請求項４】
前記かしめ部材は、皿リベットをかしめたものである、
請求項１乃至３のいずれか一に記載の回動部材締結部品。
【請求項５】
請求項２乃至４のいずれか一に回動部材締結部品と、
前記被回動部材に取り付けられる基板と、
を備えるカード。
【請求項６】
前記基板は、前記かしめ部材と重なる領域に、電子部品、配線、電極のいずれか又は全てを有する、
請求項５記載のカード。
【請求項７】
請求項５又は６記載のカードと、
複数枚の前記カードを収納するラックと、
を備えるカード収納装置。
【請求項８】
前記レバーは、前記第１穴部から延在するハンドル部と、前記第１穴部から前記ハンドル部とは別の方向に延在する係合爪部と、を有し、
前記ラックは、前記係合爪部と係合可能な係合穴部を有する、
請求項７記載のカード収納装置。
【請求項９】
ピン部の一端に皿形部を有するかしめ部材の前記ピン部を、一方の側から、
貫通した第１穴部を有するとともに前記第１穴部における前記一方の角部が面取りされた第１面取り部を有する回動部材の前記第１穴部と、
環状の座金の穴と、
貫通した第２穴部を有するとともに前記第２穴部における前記一方とは反対側の他方の角部が面取りされた第２面取り部を有する被回動部材の前記第２穴部と、
に挿通する工程と、
前記被回動部材における前記他方の側の面から突出した前記かしめ部材の前記ピン部の他端をかしめたかしめ部を形成する工程と、
を含み、
前記皿形部は、前記第１穴部内の前記第１面取り部によって形成された空間に収容され、
前記かしめ部は、前記第２穴部内の前記第２面取り部によって形成された空間に収容され、
前記かしめ部材は、前記回動部材の前記一方の側の面から突出せず、かつ、前記被回動部材の前記他方の側の面から突出せず、
前記かしめ部材は、中空部を有さない、又は、前記ピン部の外周面から前記皿形部及び前記かしめ部の径方向に突出した部分の長さよりも短い半径の中空部を有する、若しくは、充填物が埋め込まれた中空部を有する回動部材締結方法。
【請求項１０】
前記かしめ部を形成する工程では、前記かしめ部材を回転しながら加圧し、前記ピン部の他端部を潰してかしめ部を形成するハイスピンかしめ加工を行う請求項９記載の回転部材締結方法。
【発明の詳細な説明】
【技術分野】
【０００１】
本発明は、回動部材締結部品、カード、カード収納装置及び回動部材締結方法に関する。
【背景技術】
【０００２】
複数のカードをラックに収納したカード収納装置おいて、ラックからカードを挿抜可能なものがある。カードは、基板の端部に、ラックの開口部を目隠しする板金が取り付けられたものがある。カードには、レバーが回動可能に締結されたものがある。このようなレバーは、レバーのハンドル部を挿抜方向に起こすことでラックからカードを挿抜しやすくするとともに、レバーのハンドル部を挿抜方向に対する直角方向に倒すことでラックからカードを挿抜できないようにする。
【０００３】
レバーを締結したカードの構造として、板金においてネジと螺合するネジ穴を設け、基板及びレバーにおいてネジが挿通する穴を設け、板金と基板との間にレバーを挟み込み、ネジを基板側から基板及びレバーのそれぞれの穴に挿通して板金のネジ穴に螺合させて、レバーをカードに回動可能に締結したものがある。
【０００４】
しかしながら、このようなレバーを締結したカードの構造では、板金にレバーをセットし、その上から基板をセットして、ネジで締結する組立作業を行うため、組立作業が困難という問題があった。また、このような構造では、レバーをネジで締結するために基板に穴を設ける必要があるので、当該穴を形成した領域に、電子部品を実装できず、配線や電極を形成できないという問題があった。
【０００５】
そこで、ネジの代わりにかしめ技術を用いてレバーを板金のみに締結する手法を用いることで、これらの問題を解決できる可能性がある。かしめ技術を用いて２つの部材を締結する手法は、例えば、特許文献１〜４に開示されている。
【先行技術文献】
【特許文献】
【０００６】
【特許文献１】特開２０１２−９９７５０号公報
【特許文献２】特開２０１０−９４７１３号公報
【特許文献３】特開２００９−２８７７８２号公報
【特許文献４】特開平９−１４４７４５号公報
【発明の概要】
【発明が解決しようとする課題】
【０００７】
以下の分析は、本願発明者により与えられる。
【０００８】
特許文献１の図１の構造のように、２枚の板状部材をバーリングかしめで締結した構造では、かしめ部が板状部材の表面から突出し、かしめ部が他の部材を２枚の板状部材のいずれかに固定する時の障害物になる可能性があり、他の部材の設計の自由度を制限する可能性がある。
【０００９】
また、特許文献２の図１１の構造のように、一方の板状部材に形成された筒状の突起を、他方の板状部材に形成された皿穴の小さい径の側から挿入して当該皿穴内でかしめた構造では、板状部材のどちらかを回動させて用いる場合には、筒状の突起のかしめでは強度が不足し、一方の板状部材が他方の板状部材から外れてしまう可能性がある。特許文献３の図２の構造のように、２枚のワークピースを、中空筒状のブラインドリベットかしめで締結した構造でも、特許文献２の図１１の構造と同様に、強度が不足し、一方の板状部材が他方の板状部材から外れてしまう可能性がある。
【００１０】
さらに、特許文献４の図１の構造のように、軸体の長手方向の一端に頭部を有し、かつ、他端にかしめ部を有するリベットを用いて固定部材、ワッシャ、移動部材、ワッシャ、皿バネをこの順で積層して締結した構造では、リベットの頭部やかしめ部が固定部材や移動部材の表面から突出し、頭部やかしめ部が他の部材を固定部材に固定する時の障害物になる可能性があり、他の部材の設計の自由度を制限する可能性がある。
【００１１】
本発明の主な課題は、設計の自由度を確保しつつ回動部分の強度を確保することができる回動部材締結部品、カード、カード収納装置及び回動部材締結方法を提供することである。
【課題を解決するための手段】
【００１２】
第１の視点に係る回動部材締結部品は、貫通した第１穴部を有するとともに前記第１穴部における一方の角部が面取りされた第１面取り部を有する回動部材と、貫通した第２穴部を有するとともに前記第２穴部における前記一方とは反対側の他方の角部が面取りされた第２面取り部を有する被回動部材と、前記回動部材と前記被回動部材との間に配された環状の座金と、前記第１穴部、及び、前記座金の穴、並びに、前記第２穴部を挿通するピン部を有するとともに、前記ピン部の一端において前記第１穴部内の前記第１面取り部によって形成された空間に収容される皿形部を有し、かつ、前記ピン部の他端において前記第２穴部内の前記第２面取り部によって形成された空間に収容されるかしめ部を有するかしめ部材と、を備え、前記かしめ部材は、前記回動部材の前記一方の側の面から突出せず、かつ、前記被回動部材の前記他方の側の面から突出せず、前記かしめ部材は、中空部を有さない、又は、前記ピン部の外周面から前記皿形部及び前記かしめ部の径方向に突出した部分の長さよりも短い半径の中空部を有する、若しくは、充填物が埋め込まれた中空部を有する。
【００１３】
第２の視点に係るカードは、回動部材締結部品と、前記被回動部材に取り付けられる基板と、を備える。
【００１４】
第３の視点に係るカード収納装置は、カードと、複数枚の前記カードを収納するラックと、を備える。
【００１５】
第４の視点に係る回動部材締結方法は、ピン部の一端に皿形部を有するかしめ部材の前記ピン部を、一方の側から、貫通した第１穴部を有するとともに前記第１穴部における前記一方の角部が面取りされた第１面取り部を有する回動部材の前記第１穴部と、環状の座金の穴と、貫通した第２穴部を有するとともに前記第２穴部における前記一方とは反対側の他方の角部が面取りされた第２面取り部を有する被回動部材の前記第２穴部と、に挿通する工程と、前記被回動部材における前記他方の側の面から突出した前記かしめ部材の前記ピン部の他端をかしめたかしめ部を形成する工程と、を含み、前記皿形部は、前記第１穴部内の前記第１面取り部によって形成された空間に収容され、前記かしめ部は、前記第２穴部内の前記第２面取り部によって形成された空間に収容され、前記かしめ部材は、前記回動部材の前記一方の側の面から突出せず、かつ、前記被回動部材の前記他方の側の面から突出せず、前記かしめ部材は、中空部を有さない、又は、前記ピン部の外周面から前記皿形部及び前記かしめ部の径方向に突出した部分の長さよりも短い半径の中空部を有する、若しくは、充填物が埋め込まれた中空部を有する。
【発明の効果】
【００１６】
第１〜第４の視点によれば、設計の自由度を確保しつつ回動部分の強度を確保することができる。
【図面の簡単な説明】
【００１７】
【図１】実施形態１に係る回動部材締結方法を模式的に示した工程断面図である。
【図２】実施形態２に係るカード収納装置の構成を模式的に示した斜視図である。
【図３】実施形態２に係るカード収納装置におけるカードの構成を模式的に示した（Ａ）分解斜視図、（Ｂ）レバー付近の拡大斜視図である。
【図４】実施形態２に係るカード収納装置におけるカードの構成を模式的に示したかしめ部材付近の部分拡大断面図である。
【発明を実施するための形態】
【００１８】
以下、実施形態について図面を参照しつつ説明する。なお、本出願において図面参照符号を付している場合は、それらは、専ら理解を助けるためのものであり、図示の態様に限定することを意図するものではない。
【００１９】
［実施形態１］
実施形態１に係る回動部材締結部品について図面を用いて説明する。図１は、実施形態１に係る回動部材締結方法を模式的に示した工程断面図である。
【００２０】
図１（Ｃ）を参照すると、回動部材締結部品２は、回動部材３０と、被回動部材１０と、座金２０と、かしめ部材４０と、を備える。回動部材３０は、貫通した第１穴部３１を有するとともに、第１穴部３１における一方の角部が面取りされた第１面取り部３２を有する。被回動部材１０は、貫通した第２穴部１１を有するとともに、第２穴部１１における前記一方とは反対側の他方の角部が面取りされた第２面取り部１２を有する。座金２０は、回動部材３０と被回動部材１０との間に配され、環状である。かしめ部材４０は、第１穴部３１、及び、座金２０の穴、並びに、第２穴部１１を挿通するピン部４１を有する。かしめ部材４０は、ピン部４１の一端において第１穴部３１内の第１面取り部３２によって形成された空間に収容される皿形部４２を有する。かしめ部材４０は、ピン部４１の他端において第２穴部１１内の第２面取り部１２によって形成された空間に収容されるかしめ部４３を有する。かしめ部材４０は、回動部材３０の一方の側の面から突出しない。かしめ部材４０は、被回動部材１０の他方の側の面から突出しない。かしめ部材４０は、中空部を有さないようにすることができる。かしめ部材４０は、ピン部４１の外周面から皿形部４２及びかしめ部４３の径方向に突出した部分の長さよりも短い半径の中空部を有してもよい。かしめ部材４０は、充填物が埋め込まれた中空部を有してもよい。
【００２１】
回動部材締結方法として、まず、かしめ部材４０のピン部４１を、一方の側（図１の上側）から、回動部材３０の第１穴部３１と、座金２０の穴と、被回動部材１０の第２穴部１１と、に挿通する（ステップＡ１；図１（Ａ）−図１（Ｂ）参照）。次に、被回動部材１０における他方の側（図１の下側）の面から突出したかしめ部材４０のピン部４１の他端をかしめたかしめ部４３を形成する（ステップＡ２；図１（Ｂ）−図１（Ｃ）参照）。
【００２２】
実施形態１によれば、レバー３０を締結した面と板金１０の面との両面にかしめ部材４０が突出しない締結構造とすることで、設計の自由度を確保することができる。また、かしめ部材４０において中空部を有さないようにしたり、ピン部４１の外周面から皿形部４２及びかしめ部４３の径方向に突出した部分の長さよりも短い半径の中空部を有したり、充填物が埋め込まれた中空部を有することで、回動部分の強度を確保することができる。
【００２３】
［実施形態２］
実施形態２に係るカード収納装置について図面を用いて説明する。図２は、実施形態２に係るカード収納装置の構成を模式的に示した斜視図である。図３は、実施形態２に係るカード収納装置におけるカードの構成を模式的に示した（Ａ）分解斜視図、（Ｂ）レバー付近の拡大斜視図である。図４は、実施形態２に係るカード収納装置におけるカードの構成を模式的に示したかしめ部材付近の部分拡大断面図である。
【００２４】
実施形態２に係るカード収納装置１は、カード２において、実施形態１に係る回動部材締結部品（図１（Ｃ）の２）の構造を応用したものである（図２参照）。カード収納装置１は、複数枚（図２では便宜的に１枚）のカード２をラック３に収納した装置である。カード収納装置１は、ラック３からカード２を挿抜可能に構成されている。カード収納装置１は、通信装置、映像装置、音響装置、サーバ等の装置に用いることができる。カード収納装置１は、主な構成部として、カード２と、ラック３と、を有する。
【００２５】
カード２は、カード形状の電子部品である。カード２は、基板５０の端部に板金１０が取り付けられた構成となっている。カード２には、レバー３０が回動可能に締結されている。カード２は、主な構成部として、板金１０と、ワッシャ２０と、レバー３０と、かしめ部材４０と、基板５０と、を有する。
【００２６】
板金１０は、ラック３の正面側の開口部の一部を目隠しするための板状部材である（図２〜図４参照）。板金１０は、例えば、プレス成形、部品が溶接されたものであってもよい。板金１０は、基板５０の端部に取り付けられている。板金１０は、回動部材となるレバー３０に対して被回動部材となる。板金１０は、レバー３０を取り付けるための穴部１１を有する（図４参照）。穴部１１は、板金１０の正面側の本体部分から直角方向の基板５０側に延在した部分を貫通するように形成されている。穴部１１は、ワッシャ２０側に対する反対側の角部を面取り加工した面取り部１２を有する。穴部１１内の面取り部１２によって形成された空間には、かしめ部材４０のかしめ部４３が収容される。これによって、かしめ部材４０が穴部１１からワッシャ２０側に抜けないようにすることができる。板金１０におけるレバー３０側の面の穴部１１の周縁領域は、ワッシャ３０とスライド可能に当接している。板金１０におけるレバー３０側に対する反対側の面には基板５０が配置されている。板金１０は、正面側の本体部分の左右両端のそれぞれの近傍にネジ１３を回転可能に支持する。ネジ１３は、雄ネジであり、頭部を正面側に向けており、雄ネジ部で板金１０を貫通している。ネジ１３は、対応するラック３のネジ穴部３ｂと螺合可能である。板金１０には、例えば、金属板、樹脂板を用いることができる。
【００２７】
ワッシャ２０は、板金１０に対するレバー３０の回動を円滑にする環状の座金である（図４参照）。ワッシャ２０には、例えば、金属、樹脂よりなる座金を用いることができ、平座金、皿ばね座金、波型座金を用いることができる。ワッシャ２０は、板金１０とレバー３０との間に挟まれている。ワッシャ２０の内側には、かしめ部材４０のピン部４１が挿通されている。
【００２８】
レバー３０は、被回動部材となる板金１０に対する回動部材である（図２〜図４参照）。レバー３０は、かしめ部材４０によって板金１０に回動可能に取り付けられている。レバー３０は、板金１０に取り付けるための穴部３１を有する（図４参照）。穴部３１は、本体を貫通するように形成されている。穴部３１は、ワッシャ２０側に対する反対側の角部を面取り加工した面取り部３２を有する。穴部３１内の面取り部３２によって形成された空間には、かしめ部材４０の皿形部４２が収容される。これによって、かしめ部材４０が穴部３１からワッシャ２０側に抜けないようにすることができる。穴部３１は、レバー３０の回動の中心となる。レバー３０は、穴部３１から所定の方向に延在した部分にハンドル部３３を有する。ハンドル部３３は、手で摘んで持つ部分である。ハンドル部３３は、穴部３１からハンドル部３３とは異なる方向（例えば、ハンドル部３３の反対側）に延在した係合爪部３４を有する。係合爪部３４は、対応するラック３の係合穴部３ｃと係合可能である。レバー３０は、ハンドル部３３を正面方向に起こすことで、係合爪部３４が係合穴部３ｃから抜けて、ラック３からカード２を挿抜することができる。また、レバー３０は、ハンドル部３３を正面に対する直角方向に倒すことで、係合爪部３４が係合穴部３ｃに係合し、ラック３からカード２を挿抜できないようにロックする。
【００２９】
かしめ部材４０は、板金１０に対してレバー３０を回動可能に締結するための部材である（図３、図４参照）。かしめ部材４０は、レバー３０の回動の中心軸となる。かしめ部材４０は、円柱状のピン部４１の一端に皿形に形成された皿形部４２を有する。皿形部４２は、予め、レバー３０の面取り部３２に収容されるように、ピン部４１の一端から軸方向の中心に近付くにしたがい径が小さくなった円錐面状に形成されている。かしめ部材４０は、レバー３０のワッシャ２０側に対する反対側の面から突出しないように形成されている。かしめ部材４０は、円柱状のピン部４１の他端にかしめ（潰し）によって形成されたかしめ部４３を有する。かしめ部４３は、ピン部４１の他端をかしめ（潰し）たときに、板金１０の面取り部１２に収容され、かつ、板金１０のワッシャ２０側に対する反対側の面から突出しないように設定されている。かしめ部４３は、ピン部４１の他端をかしめ（潰し）たときに、ピン部４１の他端から軸方向の中心に近付くにしたがい径が小さくなった円錐面状になる。なお、かしめ部材４０は、ピン部４１の中心軸に中空部を有さないことが好ましく、中心軸に中空部を有する場合であっても、ピン部４１の外周面から皿形部４２及びかしめ部４３の径方向に突出した部分の長さよりも短い半径の中空部であることが望ましく、樹脂、金属等の充填物が埋め込まれた中空部でもよい。こうすることで、レバー３０の回動部分の強度を確保することができる。かしめ部材４０は、例えば、ステンレス、アルミニウム等の金属よりなる皿リベットを用いることができる。
【００３０】
基板５０は、表面に実装された多数の電子部品５３間を配線５１及び電極５２で接続する電気回路を構成する板状の部品である（図２〜図４参照）。基板５０は、一端に板金１０が取り付けられる。基板５０は、左右両端にて、ラック３のガイド部３ａによって挿抜方向にスライド可能に支持される。
【００３１】
ラック３は、複数枚のカード２を収納する棚枠状の構造体である。ラック３は、カード２の挿抜方向に開口している。ラック３は、左右両側面に、カード２の基板５０の左右両端をスライド可能に支持する複数のガイド部３ａを有する。ラック３は、カード２が挿入された状態のときに、カード２の板金１０におけるネジ１３と螺合することが可能な複数のネジ穴部３ｂを有する。ラック３は、カード２が挿入された状態のときに、カード２のレバー３０における係合爪部３４と係合可能な係合穴部３ｃを有する。
【００３２】
次に、実施形態２に係るカード収納装置のカードにおけるレバーの締結方法について説明する。なお、レバーの締結方法については、実施形態１に係る回動部材締結方法と共通な工程については、図１を用いて説明する。
【００３３】
まず、板金１０に面取り部１２を有する穴部１１を形成したものを作製し、レバー３０に面取り部３２を有する穴部３１を形成したものを作製する（ステップＢ１；図１（Ａ）参照）。
【００３４】
ここで、レバー３０には、かしめ部材４０の皿形部４２がレバー３０の面から突出しないサイズに合わせた面取り部３２を有する穴部３１を形成する。また、板金１０には、かしめ部材４０の他端をかしめ加工してかしめ部４３を形成したときに、板金１０の面から突出しないように、面取り部１２を有する穴部１１を形成する。なお、面取り部１２のサイズでかしめ部材４０のかしめ部４３の大きさを調整する代わりに、かしめ部材４０のピン部４１の他端の長さを調整したり、ワッシャ２０の厚さを調整するようにしてもよい。また、ワッシャ２０には、例えば、平座金、皿ばね座金、波型座金を用いることができ、かしめ部材４０には、例えば、ステンレス、アルミニウム等の金属よりなる皿リベットを用いることができる。
【００３５】
次に、板金１０にワッシャ２０、レバー３０の順に重ね合わせ、その後、かしめ部材４０をレバー３０の面取り部３２が形成された側から穴部３１に差し込む（ステップＢ２；図１（Ａ）参照）。
【００３６】
ここで、重ね合わせの際、板金１０は面取り部１２が形成された側を下に向け、レバー３０は面取り部３２が形成された側を上に向ける。また、重ね合せの際、板金１０の穴部１１、ワッシャ２０の穴、レバー３０の穴部３１が同軸となるように、板金１０、ワッシャ２０、レバー３０の位置合わせをしてもよい。また、重ね合わせる前に、レバー３０の面取り部３２が形成された側から穴部３１にかしめ部材４０のピン部４１を差し込んでおき、その後、かしめ部材４０のピン部４１にワッシャ２０を差し込み、その後、板金１０の面取り部１２が形成されていない側から穴部１１にかしめ部材４０のピン部４１を差し込むようにしてもよい。
【００３７】
次に、板金１０、ワッシャ２０、レバー３０にかしめ部材４０のピン部４１を差し込んだ状態で、板金１０から突出しているかしめ部材４０をハイスピンかしめ加工を行う（ステップＢ３；図１（Ｂ）参照）。ハイスピンかしめの加工により、かしめ部材４０のピン部４１の先端部を潰して、板金１０の面取り部１２を有する穴部１１に平らに埋め込まれる（図１（Ｃ）参照）。
【００３８】
これにより、板金１０に対してレバー３０が回動可能に締結され、レバー３０の上面、板金１０の下面に突出がない締結構造ができる。ここで、ハイスピンかしめ加工は、かしめ部材４０を回転しながら加圧しピン部４１の先端部を潰して締結することにより行うことができる。
【００３９】
その後、レバー３０が締結された板金１０に基板５０を取り付ける（ステップＢ４；図４参照）。これにより、図２のようなレバー３０が締結された構造を有するカード２ができる。
【００４０】
実施形態２によれば、レバー３０を締結した面と板金１０の面との両面に突出しない締結構造とすることで、レバー３０の固定のために基板５０へのかしめ部材４０用の穴あけが不要となり、基板５０におけるかしめ部材４０と重なるエリアに電子部品５３を実装したり、配線５１及び電極５２を配設することができ、設計の自由度を確保することができる。また、レバー３０を板金１０に締結する構造を実現することで、レバー３０と基板５０との締結作業が不要になり、レバー３０の締結作業を改善することができる。また、かしめ部材４０を中空部がない（中空部があってもピン部４１の外周面から皿形部４２及びかしめ部４３の径方向に突出した部分の長さよりも短い半径の中空部、とする）構造とすることで、レバー３０の回動部分の強度を確保することができる。さらに、レバー３０と板金１０との間にワッシャ２０を挟んでかしめ部材４０で締結することで、レバー３０をスムーズに回動させることができる。
【００４１】
（付記）
第１の視点に係る回動部材締結部品は、回動部材と、被回動部材と、座金と、かしめ部材と、を備える。回動部材は、貫通した第１穴部を有するとともに前記第１穴部における一方の角部が面取りされた第１面取り部を有する。被回動部材は、貫通した第２穴部を有するとともに前記第２穴部における前記一方とは反対側の他方の角部が面取りされた第２面取り部を有する。座金は、前記回動部材と前記被回動部材との間に配され、環状である。かしめ部材は、前記第１穴部、及び、前記座金の穴、並びに、前記第２穴部を挿通するピン部を有する。かしめ部材は、前記ピン部の一端において前記第１穴部内の前記第１面取り部によって形成された空間に収容される皿形部を有する。かしめ部材は、前記ピン部の他端において前記第２穴部内の前記第２面取り部によって形成された空間に収容されるかしめ部を有する。かしめ部材は、前記回動部材の前記一方の側の面から突出しない。かしめ部材は、前記被回動部材の前記他方の側の面から突出しない。かしめ部材は、中空部を有さないようにすることができる。かしめ部材は、前記ピン部の外周面から前記皿形部及び前記かしめ部の径方向に突出した部分の長さよりも短い半径の中空部を有してもよい。かしめ部材は、充填物が埋め込まれた中空部を有してもよい。
【００４２】
前記回動部材締結部品において、前記回動部品は、レバーであり、前記被回動部品は、板金である。
【００４３】
前記回動部材締結部品において、前記座金は、平座金及び皿ばね座金並びに波型座金のいずれか１つである。
【００４４】
前記回動部材締結部品において、前記かしめ部材は、皿リベットをかしめたものである。
【００４５】
第２の視点に係るカードは、前記回動部材締結部品と、前記被回動部材に取り付けられる基板と、を備える。
【００４６】
前記カードにおいて、前記基板は、前記かしめ部材と重なる領域に、電子部品、配線、電極のいずれか又は全てを有する。
【００４７】
第３の視点に係るカード収納装置は、前記カードと、複数枚の前記カードを収納するラックと、を備える。
【００４８】
前記カード収納装置において、前記レバーは、前記第１穴部から延在するハンドル部と、前記第１穴部から前記ハンドル部とは別の方向に延在する係合爪部と、を有し、前記ラックは、前記係合爪部と係合可能な係合穴部を有する。
【００４９】
第４の視点に係る回動部材締結方法は、ピン部の一端に皿形部を有するかしめ部材の前記ピン部を、一方の側から、貫通した第１穴部を有するとともに前記第１穴部における前記一方の角部が面取りされた第１面取り部を有する回動部材の前記第１穴部と、環状の座金の穴と、貫通した第２穴部を有するとともに前記第２穴部における前記一方とは反対側の他方の角部が面取りされた第２面取り部を有する被回動部材の前記第２穴部と、に挿通する工程と、前記被回動部材における前記他方の側の面から突出した前記かしめ部材の前記ピン部の他端をかしめたかしめ部を形成する工程と、を含む。前記皿形部は、前記第１穴部内の前記第１面取り部によって形成された空間に収容される。前記かしめ部は、前記第２穴部内の前記第２面取り部によって形成された空間に収容される。前記かしめ部材は、前記回動部材の前記一方の側の面から突出しない。前記かしめ部材は、前記被回動部材の前記他方の側の面から突出しない。前記かしめ部材は、中空部を有さないようにすることができる。前記かしめ部材は、前記ピン部の外周面から前記皿形部及び前記かしめ部の径方向に突出した部分の長さよりも短い半径の中空部を有してもよい。前記かしめ部材は、充填物が埋め込まれた中空部を有してもよい。
【００５０】
前記回転部材締結方法において、前記かしめ部を形成する工程では、前記かしめ部材を回転しながら加圧し、前記ピン部の他端部を潰してかしめ部を形成するハイスピンかしめ加工を行う。
【００５１】
なお、上記の特許文献の各開示を、本書に引用をもって繰り込むものとする。本発明の全開示（特許請求の範囲及び図面を含む）の枠内において、さらにその基本的技術思想に基づいて、実施形態ないし実施例の変更・調整が可能である。また、本発明の全開示の枠内において種々の開示要素（各請求項の各要素、各実施形態ないし実施例の各要素、各図面の各要素等を含む）の多様な組み合わせないし選択が可能である。すなわち、本発明は、請求の範囲及び図面を含む全開示、技術的思想にしたがって当業者であればなし得るであろう各種変形、修正を含むことは勿論である。また、本願に記載の数値及び数値範囲については、明記がなくともその任意の中間値、下位数値、及び、小範囲が記載されているものとみなされる。
【符号の説明】
【００５２】
１  カード収納装置
２  カード（回動部材締結部品）
３  ラック
３ａ  ガイド部
３ｂ  ネジ穴部
３ｃ  係合穴部
１０  板金（被回動部材）
１１  穴部（第２穴部）
１２  面取り部（第２面取り部）
１３  ネジ
２０  ワッシャ（座金）
３０  レバー（回動部材）
３１  穴部（第１穴部）
３２  面取り部（第１面取り部）
３３  ハンドル部
３４  係合爪部
４０  かしめ部材
４１  ピン部
４２  皿形部
４３  かしめ部
５０  基板
５１  配線
５２  電極
５３  電子部品
【図１】
2016180422.tif 000003
【図４】
2016180422.tif 000004
【図２】
2016180422.tif 000005
【図３】
2016180422.tif 000006